(57)【要約】【課題】スライド式携帯電話機において、部材の点数を削減し厚みを削減する。【解決手段】上筐体２に上プレート２０を固定し、下筐体３に下プレート３０を固定する。上プレート２０にクリアランスキーパ貫通穴２１を設け、上筐体２と一体に形成したクリアランスキーパ１１を貫通させて突出させる。下プレート３０に設けた下プレートビス３１と、クリアランスキーパ１１とを当接させる。下プレート巻き込み部３２を下プレート３０に設け、上プレート２０の縁辺を巻き込むことで、両者をスライド移動可能に組み合わせる。【選択図】図３
2010288128.tif 000002
【特許請求の範囲】
【請求項１】
第１筐体と第２筐体とを互いに重ね合わせた状態で摺動自在に連結した電子機器であって、
前記第１筐体に固定され、開口部を備えた第１プレートと、
前記第１筐体と一体となって形成され、前記開口部を貫通した状態で突出する第１凸部と、
前記第1プレートと前記第2筐体との間に介装され、前記第２筐体に固定された第２プレートと、
前記第２プレートに設けられ、前記第１プレートの摺動方向に平行な縁辺を巻き込む巻き込み部と、
を備えたことを特徴とする電子機器。
【請求項２】
前記第２プレートは、前記第１凸部と当接する第２凸部を更に備えたことを特徴とする請求項１に記載の電子機器。
【発明の詳細な説明】
【技術分野】
【０００１】
本発明は、スライド式の摺動構造を持った電子機器に関する。
【背景技術】
【０００２】
近年、上筐体と下筐体の2つの筐体を重ね合わせて結合し、上側筐体に表示装置を設け、下側筐体に操作キーを設けた電子機器が広く普及している。こうした電子機器の一例であるスライド式携帯電話機は、例えば上筐体と下筐体を重ね合わせた閉状態と、下筐体とをスライドさせて引き出した開状態の2状態を持つ。閉状態においては、上筐体に設けられた表示装置が露出し、下筐体に設けられた操作キーが上筐体に覆われ隠れた状態となる。一方、開状態においては、下筐体がスライドして引き出されることにより操作キーが外側に露出する。スライド式携帯電話機の使用者は、持ち歩く際にはスライド式携帯電話機を閉状態としてコンパクト化して携帯し、使用する際には開状態として操作キーを操作可能に露出させる。
【０００３】
スライド式携帯電話機においては、上筐体に取り付けた上プレートと、下筐体に取り付けた下プレートを設けて、２つのプレートを相対的に移動可能なように組み合わせることで、上筐体と下筐体とをスライド移動させている。ところで、スライド式携帯電話機を薄形に構成するためには、この２つのプレート間の隙間を小さくし、密接させた状態で配置する必要がある。このため、スライド式携帯電話機がスライドする際に、上筐体と下筐体との間に圧力が加えられると、２つのプレートが接触した状態でスライド移動が行われてしまう。２つのプレートが接触した状態で行われるスライド移動は、それぞれのプレートに傷を発生させる虞があった。
【０００４】
このような傷の発生を防ぐために、2つのプレートの間の空間を確保して接触を防止する、所謂クリアランスキーパを２つのプレートの間に挿入する技術が公開されている（例えば、特許文献１を参照)。
【先行技術文献】
【特許文献】
【０００５】
【特許文献１】特開２００６−２７０８０４号公報
【発明の概要】
【発明が解決しようとする課題】
【０００６】
クリアランスキーパは通常、クリアランスキーパとプレートとが接触した状態でもスライド動作をスムーズに行えるようにするために、摩擦が低く摺動性のよい材料を用いて構成される。一方、クリアランスキーパと接触するプレートは、スライド動作を繰り返して行った場合であっても変形しないような、剛性の高い金属製の材料を用いて構成される。クリアランスキーパとプレートの材料はそれぞれ異なるために、従来のスライド式携帯電話機においては、プレートに当接するクリアランスキーパを独立した別の部材として設ける必要があった。図７に、従来のスライド式携帯電話機におけるクリアランスキーパ１１１の構造を示す。上筐体１０２に上プレート１２０を取り付け、下筐体１０３に下プレート１３０を取り付ける。上プレート１２０にクリアランスキーパ１１１を設ける際には、まず上プレート１２０にクリアランスキーパ貫通穴１２１を開け、このクリアランスキーパ貫通穴１２１にクリアランスキーパ１１１を差し込む。クリアランスキーパ１１１を上プレート１２０に固定するためには、クリアランスキーパ１１１が下プレート１３０と当接する側とは反対側へ飛び出した部分である、所謂フランジ１５０を設ける必要がある。このフランジ１５０が存在することによって、スライド式携帯電話機の厚みが増加してしまうという問題点があった。
【０００７】
本発明は、上記問題点を解決するためになされたもので、第1筐体と一体となって形成された第1凸部を設けて第１プレートを貫通させ、第1凸部と第2プレートに設けた第2凸部とを当接させたことを特徴とする。
【課題を解決するための手段】
【０００８】
上記目的を達成するために、本発明の電子機器は、第１筐体と第２筐体とを互いに重ね合わせた状態で摺動自在に連結した電子機器であって、前記第１筐体に固定され、開口部を備えた第１プレートと、前記第１筐体と一体となって形成され、前記開口部を貫通した状態で突出する第１凸部と、前記第1プレートと前記第2筐体との間に介装され、前記第２筐体に固定された第２プレートと、前記第２プレートに設けられ、前記第１プレートの摺動方向に平行な縁辺を巻き込む巻き込み部とを備えたことを特徴とする。
【発明の効果】
【０００９】
本発明によれば、プレートが接触する事態を回避し、且つ厚みを減少させたスライド式携帯電話機が提供できる。
【図面の簡単な説明】
【００１０】
【図１】本発明に係る電子機器の一例であるスライド式携帯電話機の外観を示す図。
【図２】本発明に係る電子機器の一例であるスライド式携帯電話機の内部の構造を示す図。
【図３】本発明の実施形態に係るスライド式携帯電話機の、各部材の構造および、各部材が係合する様子を示した図。
【図４】本発明の実施形態に係るスライド式携帯電話機がスライド動作を行う場合の、各部材が係合する様子を、スライド式携帯電話機の断面で示した図。
【図５】本発明の実施形態に係るスライド式携帯電話機がスライド動作を行う場合の、各部材が係合する様子を、スライド式携帯電話機の側面から見た図。
【図６】本発明の実施形態に係るスライド式携帯電話機の、クリアランスキーパの別の構造を示した断面図。
【図７】従来のスライド式携帯電話機に係る、クリアランスキーパの構造を示した図。
【発明を実施するための形態】
【００１１】
以下、本発明の実施の形態について図面を参照して説明する。
【００１２】
（スライド式携帯電話機の外観）
図１は、本発明に係る電子機器の一例であるスライド式携帯電話機１の外観の構成を示す図である。図１（ａ）及び（ｂ）は、開状態にあるときのスライド式携帯電話機１を正面及び側面から見た外観の構成を示す。一方、図１（ｃ）及び（ｄ）は、閉状態にあるときのスライド式携帯電話機１を正面及び側面から見た外観の構成を示す。また、図２は、スライド式携帯電話機１の内部の構成を示す図である。
【００１３】
上筐体２の裏面には、上プレート２０が取り付けられている。一方、下筐体３の表面には、下プレート３０が取り付けられている。上筐体２と下筐体３を重ねることで、上プレート２０と下プレート３０とが組み合わされる。上プレート２０と下プレート３０とは後述する方法でスライド移動可能なように組み合わされている。この上プレート２０と下プレート３０とがスライド移動することで、それぞれのプレートに取り付けられた上筐体２と下筐体３も連動してスライド移動する。上プレート２０及び下プレート３０は、スライド移動を繰り返した場合であっても変形することがないように、例えば板金などの剛性の高い材料を用いて構成される。一方、上筐体２や後述するクリアランスキーパ１１は、板金に比べ摺動性の高い、例えばＰＯＭ材やレニー材といった結晶化材料を用いて構成される。
【００１４】
上筐体２の表面には、その正面にディスプレイ１０が設けられており、例えば、スライド式携帯電話機１の設定画面やメール、ウェブサイト、あるいは動画像を表示する。また、アンテナが受信している電波強度レベルを示すアンテナピクトや、現在時刻などを表示する。なお、ディスプレイ１０は、例えばＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）によって構成されるディスプレイである。
【００１５】
また、上筐体２には、ディスプレイ１０の右側にマイクロフォン８が設けられており、マイクロフォン８によって通話時の使用者が発する音声を集音する。また、ディスプレイ１０の左側にはスピーカ７が設けられており、スライド式携帯電話機１が通話を行う際の、通話相手の音声を出力する。なお、本実施例においては上筐体２にマイクロフォン８及びスピーカ７が設けられる例を示したが、下筐体３にマイクロフォン８もしくはスピーカ７を設けてた構成を取っても構わない。
【００１６】
下筐体３には、その表面に「０」から「９」までの数字キー、発信・着信キー、リダイヤルキー、終話・電源キー、クリアキー、及び第1のメニューキーなどから構成される操作キー４が設けられている。更に、下筐体３の側面にはマナーモードキー、第2のメニューキーなどから構成されるサイドキー５が設けられている。使用者は、操作キー４あるいはサイドキー５を用いてスライド式携帯電話機１へ各種指示やデータを入力する。なお、本実施例においては下筐体３に操作キー４及びサイドキー５が設けられると述べたが、操作キー４やサイドキー５の一部、あるいは全部が上筐体２に設けられる構成を取っても構わない。また、図１においてハードキーを用いて操作キー４を構成する例を示したが、例えばタッチパネルやトラックボール、その他のポインティングデバイスを用いてこれを構成しても構わない。
【００１７】
（スライド式携帯電話機のスライド構造）
図３は、スライド式携帯電話機１のスライド構造を構成する各部材を表面及び裏面から見た外観図と、各部材が組み合わされる様子をＸ−Ｘ’平面で切り取った断面図である。図３（ａ）（ｂ）（ｃ）（ｄ）はそれぞれ上筐体２、上プレート２０、下プレート３０、下筐体３を示している。
【００１８】
上筐体２の裏面には、上筐体溝１２が左右に設けられる。この上筐体溝１２の位置は、後述する下プレート３０の下プレート巻き込み部３２と対応した位置に設けられる。また、上筐体２の裏面には、クリアランスキーパ１１が設けられる。クリアランスキーパ１１は上筐体２から突出しており、上筐体２と一体となって形成されている。
【００１９】
上プレート２０は、上筐体２に固定された状態で取り付けられる。上プレート２０にはクリアランスキーパ貫通穴２１が設けられる。クリアランスキーパ貫通穴２１はクリアランスキーパ１１と対応する位置に設けられ、上筐体２に上プレート２０が取り付けられると、クリアランスキーパ貫通穴２１からクリアランスキーパ１１が貫通し、飛び出すこととなる。また、上プレート２０の裏面には、上プレートビス２２が設けられる。上プレートビス２２には、後述する巻きばね４０の一端が取り付けられる。
【００２０】
下プレート３０は、下筐体３に固定された状態で取り付けられる。下プレート３０には下プレート溝３３が設けられ、後述する下筐体溝１３に嵌め込まれた状態で固定される。図３に示すように、下プレート３０の表面の両端には、下プレート巻き込み部３２が設けられる。下プレート巻き込み部３２は、上プレート２０と下プレート３０とを組み合わせた際に、上プレート２０の縁辺を巻き込んだ位置にくるよう設けられる。下プレート巻き込み部３２が上プレート２０を巻き込むことで、スライド移動を行う際に上プレート２０と下プレート３０の左右の位置がずれてしまう事態を防ぐことができる。下プレート３０の表面には下プレートビス３１が設けられ、後述する巻きばね４０のもう一端が取り付けられる。また、下プレートビス３１はクリアランスキーパ１１に対応する位置に設けられる。従って、上プレート２０と下プレート３０とが組み合わされたときに、下プレートビス３１とクリアランスキーパ１１とが当接することとなる。
【００２１】
下筐体３の表面には、下筐体溝１３が設けられる。下筐体溝１３は下プレート溝３３と対応する位置に設けられる。
【００２２】
（スライド式携帯電話機のスライド移動の様子）
図４は、スライド式携帯電話機１がスライド移動を行う際のスライド移動に関わる各部材の位置関係を示した図と、各部材が組み合わされる様子をＸ−Ｘ’平面で切り取った断面を示した図である。図４（ａ）は、スライド式携帯電話機１が閉状態にあるときの図である。図４（ｂ）は、スライド式携帯電話機１が閉状態と開状態の中間状態にあるときの図である。図４（ｃ）は、スライド式携帯電話機１が開状態にあるときの図である。
【００２３】
図４中の各図に示すように、上プレートビス２２と下プレートビス３１とを繋ぐように巻きばね４０が設けられる。巻きばね４０が伸縮することによって、スライド移動を付勢する力が上プレート２０と下プレート３０との間に発生する。
【００２４】
スライド式携帯電話機１が閉状態から開状態へ遷移する際には、下プレートビス３１はクリアランスキーパ１１と当接した位置で移動する。下プレートビス３１とクリアランスキーパ１１とが接触することで、上プレート２０と下プレート３０との間の空間が確保される。従って、スライド式携帯電話機１を挟み込むような圧力が加わった場合であっても、上プレート２０、下プレート３０及び巻きばね４０が接触し、各部材に傷が付いてしまう事態を防ぐことができる。
【００２５】
（クリアランスキーパの構造）
図５は、スライド式携帯電話機１がスライド移動を行う際のスライド移動に関わる各部材の位置関係を示した図と、各部材が組み合わされる様子をＹ−Ｙ’平面で切り取った断面を示した図である。Ｙ−Ｙ’平面で切り取った断面図からわかるように、クリアランスキーパ１１は図中の下部に行くほど高さが低くなるよう構成される。これにより、図５（ａ）にあるようにスライド式携帯電話機１が閉状態にある際には下プレートビス３１とクリアランスキーパ１１とが当接する。しかし、図５（ｃ）にスライド式携帯電話機１が開状態にある際には、クリアランスキーパ１１は突出した部分の高さが低くなるため下プレートビス３１とは当接しないこととなる。従って、スライド式携帯電話機１が開状態にある際には、クリアランスキーパ１１と下プレートビス３１との間に空間が生まれることとなる。この空間に例えば上筐体２と下筐体３とを電気的に接続する部材を配置することができる。
【００２６】
また、スライド式携帯電話機１が開状態から閉状態へ移行する際には、下プレートビス３１とクリアランスキーパ１１とが当接していない状態から当接した状態へ移行することとなる。先述したように、クリアランスキーパ１１は図中の下部に行くほど突出した部分の高さが低くなるよう構成されるが、この高さを緩やかに変化させる。これにより、例えばスライド式携帯電話機１が開状態から閉状態へ勢い良くスライドした場合であっても、下プレートビス３１とクリアランスキーパ１１とは徐々に当接するために、両者が勢い良くぶつかり破損してしまう事態を防ぐことができる。
【００２７】
図６は、図３（ａ）のＸ−Ｘ’面で見た断面図の、クリアランスキーパ１１の別の構造を示した図である。図に示すように、クリアランスキーパ１１が下プレートビス３１と当接する箇所は、その断面が楕円状となるように形成されている。下プレートビス３１とクリアランスキーパ１１は楕円形状の頂点で接するために、その接触面積は小さくなる。下プレートビス３１とクリアランスキーパ１１との摩擦の大きさは、両者の接触面積に比例して大きくなってしまう。従って、クリアランスキーパ１２の断面を楕円状に加工することで下プレートビス３１との摩擦を小さくし、スライド式携帯電話機１のスライド移動をスムーズに行うことが可能である。
【００２８】
以上の実施形態の構成によれば、クリアランスキーパ１１が下プレートビス３１と当接することにより、上プレート２０と下プレート３０との空間が確保される。この空間の確保により、上プレート２０、下プレート３０及び巻きばね４０が接触して傷が付いてしまう事態を防ぐことができる。また、従来のスライド式携帯電話機においては上プレートに別途独立した部材としてクリアランスキーパを設けていたために、クリアランスキーパを固定するためのフリンジ部を更に設ける必要があった。以上の実施形態の構成によれば、このクリアランスキーパ１１は上筐体２と一体となって設けられている。これにより、クリアランスキーパ１１を固定するフリンジ部を廃してスライド式携帯電話機１の厚みを減じるとともに、スライド式携帯電話機１を構成する部材点数を減少させることで製造を容易に行うことができる。
【００２９】
なお、ここに述べた実施の形態においては、クリアランスキーパ１１、クリアランスキーパ貫通穴２１、上プレートビス２２、及び下プレートビス３１をそれぞれ２つずつ設けた例を示した。しかし、本発明はこれに限定されるものではなく、各部材は１つ、あるいは３つ以上設けられていても構わない。また、下プレート３０は下プレート巻き込み部３２によって上プレート２０の両端を巻き込むことで、スライド移動時の左右の位置のずれを防ぐと述べた。しかし、本発明はこれに限定されるものではなく、下プレート巻き込み部３２の代わりに、下プレート３０及び上プレート２０の間に新たな溝と、これに係合する突出部とを設け、これを組み合わせることでスライド移動時の左右の位置ずれを防ぐ構造を取っても構わない。また、クリアランスキーパ１１は下プレートビス３１と当接することで下プレート３０及び上プレート２０の間の空間を確保する例を示した。しかし、本発明はこれに限定されるものではなく、クリアランスキーパ１１を下プレート３０に直接当接させることで空間を確保する構成を取っても構わない。
【００３０】
また、ここに述べた実施の形態において、電子機器の例として携帯電話機を挙げて説明を行った。しかし、本発明の範囲はこれに限定されるものではなく、例えばＰＤＡ（Ｐｅｒｓｏｎａｌ  Ｄｉｇｉｔａｌ  Ａｓｓｉｓｔａｎｔ）や有線端末、小型情報処理機器などにも適用できる。要するに本発明は、上記実施形態に限定されるものではなく、発明の要旨を逸脱しない範囲であれば、構成要素を変形して具体化しても良い。また、上記各実施形態に開示されている複数の構成要素の適宣な組み合わせにより、種々の発明を形成しても良い。例えば、各実施形態に示される全構成要素から幾つかの構成要素を削除してもよい。
【符号の説明】
【００３１】
１  スライド式携帯電話機
２  上筐体
３  下筐体
４  操作キー
５  サイドキー
７  スピーカ
８  マイクロフォン
１０  ディスプレイ
１１  クリアランスキーパ
１２  上筐体溝
１３  下筐体溝
２０  上プレート
２１  クリアランスキーパ貫通穴
２２  上プレートビス
３０  下プレート
３１  下プレートビス
３２  下プレート巻き込み部
３３  下プレート溝
４０  巻きばね
１０２  上筐体
１０３  下筐体
１１１  クリアランスキーパ
１２０  上プレート
１２１  クリアランスキーパ貫通穴
１３０  下プレート
１５０  フランジ
【図１】
2010288128.tif 000003
【図２】
2010288128.tif 000004
【図３】
2010288128.tif 000005
【図４】
2010288128.tif 000006
【図５】
2010288128.tif 000007
【図６】
2010288128.tif 000008
【図７】
2010288128.tif 000009